(57)【要約】【課題】  本体の周りを燃焼により生じる白炎の光により照らすことができる対流型石油燃焼器を提供する。【解決手段】    燃料タンク２と、灯芯５を有する燃焼筒７と、該燃焼筒７を囲む炎筒９と、該炎筒９の上部開口を覆う天板１０とを備えた対流型石油燃焼器に於いて、前記炎筒９の上部全周に透光用孔２１を多数形成すると共に、該透光用孔２１の全てを透明又は半透明又は透光性のある透光用孔保護層２３で覆ったので、暖房を行いながら透光用孔２１から炎筒９内の白炎の光が対流型石油燃焼器の周りを照らすことができ、透光用孔保護層により透光用孔２１から炎筒９内に空気が流入したり、逆に炎筒９内から燃焼ガスが炎筒９外に流出したりすることがなく、対流型石油燃焼器の燃焼に影響を与えるのを防止できるものである。【選択図】  図１
2014190550.tif 000002
【特許請求の範囲】
【請求項１】
燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板とを備えた対流型石油燃焼器に於いて、前記炎筒の上部全周に透光用孔を多数形成すると共に、該透光用孔の全てを透明又は半透明又は透光性のある透光用孔保護層で覆ったことを特徴とする対流型石油燃焼器。      
【請求項２】
燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板とを備えた対流型石油燃焼器に於いて、前記炎筒で燃焼筒の上端よりも上の部分の全周に透光用孔を多数形成すると共に、該透光用孔の全てを透明又は半透明又は透光性のある透光用孔保護層で覆ったことを特徴とする対流型石油燃焼器。
【請求項３】
燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板と、前記炎筒内で燃焼筒の上端の位置から上の炎筒の内周面を被うように設けた炎筒焼損防止板とを備えた対流型石油燃焼器に於いて、前記炎筒で炎筒焼損防止板の上端よりも上の部分の全周に透光用孔を多数形成すると共に、該透光用孔の全てを透明又は半透明又は透光性のある透光用孔保護層で覆ったことを特徴とする対流型石油燃焼器。
【請求項４】
燃料タンクと、下端が燃料タンク内の燃油中に浸漬されると共に上端が点火されて着火する灯芯を有する燃焼筒と、該燃焼筒を囲む炎筒と、該炎筒の略中央に設けた覗き窓と、該炎筒の上部開口を覆う天板と、前記炎筒内で燃焼筒の上端の位置から上の炎筒の内周面を被うように設けた炎筒焼損防止板とを備えた対流型石油燃焼器に於いて、前記炎筒で覗き窓の上端及び炎筒焼損防止板の上端よりも上の部分の全周に透光用孔を多数形成すると共に、該透光用孔の全てを透明又は半透明又は透光性のある透光用孔保護層で覆ったことを特徴とする対流型石油燃焼器。
【請求項５】
前記透光用孔保護層は透明又は半透明又は透光性のある琺瑯からなり、透光用孔を形成した部分の炎筒の外周面又は内周面の片面又は両面に形成したことを特徴とする請求項１から４のいずれか１項に記載された対流型石油燃焼器。
【請求項６】
前記透光用孔保護層は、透光用孔を形成した部分の炎筒の外周面又は内周面の片面又は両面に形成すると共に、透光用孔内は透光用孔保護層で充填され、透光用孔保護層の透光用孔部分は凹状に形成されていることを特徴とする請求項１から４のいずれか１項に記載された対流型石油燃焼器。
【請求項７】
前記透光用孔保護層は透明又は半透明又は透光性のある雲母板からなり、透光用孔を形成した部分の炎筒の外周面又は内周面の片面又は両面に形成したことを特徴とする請求項１から４のいずれか１項に記載された対流型石油燃焼器。
【請求項８】
前記透光用孔保護層は透明又は半透明又は透光性のある耐熱ガラスからなり、透光用孔を形成した部分の炎筒の外周面又は内周面の片面又は両面に形成したことを特徴とする請求項１から４のいずれか１項に記載された対流型石油燃焼器。
【発明の詳細な説明】
【技術分野】
【０００１】
この発明は対流型石油燃焼器に関するものである。
【背景技術】
【０００２】
従来、この種のものにおいては、図６に示すように１は置き台、２は燃料タンク、３は前記燃料タンクの内底中央部から突出した芯案内筒、４は該芯案内筒３の上端周囲を囲繞するように燃料タンク２の時用端部に取り付けられたバーナバスケット、５は前記芯案内筒３とバーナバスケット４との間の隙間に上下動自在に挿入された円筒状の灯芯で、該灯芯５の下端が燃料タンク２内の燃油中に浸漬されているものである。
【０００３】
又、６はバーナバスケット４の上端部分に構成された火皿部で、該火皿部６に複筒構造の燃焼筒７が載設されているものである。
８はバーナバスケット４の周囲に設けられた炎筒ベースで、該炎筒ベース８の週面に縦長のスリット８ａが均等に多数穿設されており、この炎筒ベース８の上端で縦長状の炎筒９が支持され、該炎筒９により燃焼筒７が被われているもので、炎筒９の上端周面には縦長のスリット９ａが均等に多数穿設されているものである。
【０００４】
又、１０は炎筒９の上端開口部に装着された天板、１１は炎筒ベース８に切り欠いて形成された開口部に取り付けられた操作部、１２は該操作部１１の内側に設けられ、灯芯５を上下動させる芯上下機構、１３は灯芯５の上端に点火する点火機構、１４は炎筒９の外周を被ったガード、１５は燃焼筒７の上方で形成される白炎の位置に合わせて炎筒９周面に設けられた覗き窓で、白炎の光が該覗き窓１５から覗き窓１５方向を照らすものである。
【０００５】
１６は該覗き窓１５を被う透明状の雲母板からなる覗き窓用板、１７は該覗き窓用板１６を炎筒９の周面に取り付ける覗き窓用枠、１８は該覗き窓用枠１７を固定する固定用ネジ、１９は燃焼筒７の上方で形成される白炎の位置に合わせて炎筒９内周面を被うように設けられ、燃焼筒７からの白炎の熱により炎筒９が焼損するのを防止する炎筒焼損防止板、２０は炎筒９に取り付けたハンドルである。
【０００６】
そして燃焼運転を開始する場合は、芯上下機構１２を介して灯芯５を上昇操作し、その上端を火皿部６に臨ませ、次に点火機構１３を介して灯芯５上端に点火して着火させ、それにより灯芯５から燃油が順次気化し、この気化ガスが燃焼用空気と混合しながら燃焼筒７を流通し、その燃焼筒７の上端部に白炎を形成して燃焼を形成し、その白炎の光が炎筒９の前後に設けた覗き窓１５からその覗き窓１５方向を照らすものであった。（例えば、特許文献１参照）
【先行技術文献】
【特許文献】
【０００７】
【特許文献１】実公昭６２−３４１６３号公報
【発明の概要】
【発明が解決しようとする課題】
【０００８】
ところでこの従来のものでは、覗き窓は炎筒に対して前後二カ所に設けられているため、覗き窓からの炎の光が炎筒に対して前後二カ所だけを照らすこととなり、覗き窓のない方向は暗くなってしまうもので、特に災害時で停電状態の時や電気のない場所で使用する時、暖房はできるものの対流型石油燃焼器の全周を照らすことはできなかった。
【課題を解決するための手段】
【０００９】
上記課題を解決するために、本発明の請求項１では、燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板とを備えた対流型石油燃焼器に於いて、前記炎筒の上部全周に透光用孔を多数形成すると共に、該透光用孔の全てを透明又は半透明又は透光性のある透光用孔保護層で覆ったものである。
【００１０】
また、請求項２では、燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板とを備えた対流型石油燃焼器に於いて、前記炎筒で燃焼筒の上端よりも上の部分の全周に透光用孔を多数形成すると共に、該透光用孔の全てを透明又は半透明又は透光性のある透光用孔保護層で覆ったものである。
【００１１】
また、請求項３では、燃料タンクと、下端が燃料タンク内の燃油中に浸漬されると共に上端が点火されて着火する灯芯を有する燃焼筒と、該燃焼筒を囲む炎筒と、該炎筒の上部開口を覆う天板と、前記炎筒内で燃焼筒の上端の位置から上の炎筒の内周面を被うように設けた炎筒焼損防止板とを備えた対流型石油燃焼器に於いて、前記炎筒で炎筒焼損防止板の上端よりも上の部分の全周に透光用孔を多数形成すると共に、該透光用孔の全てを透明又は半透明又は透光性のある透光用孔保護層で覆ったものである。
【００１２】
また、請求項４では、燃料タンクと、下端が燃料タンク内の燃油中に浸漬されると共に上端が点火されて着火する灯芯を有する燃焼筒と、該燃焼筒を囲む炎筒と、該炎筒の略中央に設けた覗き窓と、該炎筒の上部開口を覆う天板と、前記炎筒内で燃焼筒の上端の位置から上の炎筒の内周面を被うように設けた炎筒焼損防止板とを備えた対流型石油燃焼器に於いて、前記炎筒で覗き窓の上端及び炎筒焼損防止板の上端よりも上の部分の全周に透光用孔を多数形成すると共に、該透光用孔の全てを透明又は半透明又は透光性のある透光用孔保護層で覆ったものである。
【００１３】
また、請求項５では、前記透光用孔保護層は透明又は半透明又は透光性のある琺瑯からなり、透光用孔を形成した部分の炎筒の外周面又は内周面の片面又は両面に形成したものである。
【００１４】
また、請求項６では、前記透光用孔保護層は、透光用孔を形成した部分の炎筒の外周面又は内周面の片面又は両面に形成すると共に、透光用孔内は透光用孔保護層で充填され、透光用孔保護層の透光用孔部分は凹状に形成されているものである。
【００１５】
また、請求項７では、前記透光用孔保護層は透明又は半透明又は透光性のある雲母板からなり、透光用孔を形成した部分の炎筒の外周面又は内周面の片面又は両面に形成したものである。
【００１６】
また、請求項８では、前記透光用孔保護層は透明又は半透明又は透光性のある耐熱ガラスからなり、透光用孔を形成した部分の炎筒の外周面又は内周面の片面又は両面に形成したものである。
【発明の効果】
【００１７】
この発明の請求項１によれば、燃焼筒を囲む炎筒の上部全周に透光用孔を多数形成すると共に、該透光用孔の全てを透明又は半透明又は透光性のある透光用孔保護層で覆ったので、炎筒の上部全周に多数形成された透光用孔から炎筒内の白炎の光が対流型石油燃焼器の周りを照らすことができ、従来の対流型石油燃焼器と同じように暖房を行いながら、対流型石油燃焼器の周りを照らすことができると共に、透光用孔保護層が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【００１８】
また、請求項２によれば、炎筒で燃焼筒の上端よりも上の部分の全周に透光用孔を多数形成すると共に、該透光用孔の全てを透明又は半透明又は透光性のある透光用孔保護層で覆ったので、燃焼筒の上端付近に形成される白炎の光が透光用孔透光用孔から対流型石油燃焼器の周りを照らすことができ、従来の対流型石油燃焼器と同じように暖房を行いながら、対流型石油燃焼器の周りを照らすことができると共に、透光用孔保護層が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【００１９】
また、請求項３によれば、炎筒で炎筒焼損防止板の上端よりも上の部分の全周に透光用孔を多数形成すると共に、該透光用孔の全てを透明又は半透明又は透光性のある透光用孔保護層で覆ったので、炎筒焼損防止板により炎筒の焼損を防止しつつ、炎筒焼損防止板により遮断される白炎の光が遮断される炎筒焼損防止板よりも上の部分の全周に形成した透光用孔から、燃焼筒の上端付近に形成される白炎の光が対流型石油燃焼器の周りを照らすことができ、従来の対流型石油燃焼器と同じように暖房を行いながら、対流型石油燃焼器の周りを照らすことができると共に、透光用孔保護層が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【００２０】
また、請求項４によれば、炎筒で覗き窓の上端及び炎筒焼損防止板の上端よりも上の部分の全周に透光用孔を多数形成すると共に、該透光用孔の全てを透明又は半透明又は透光性のある透光用孔保護層で覆ったので、炎筒焼損防止板により炎筒の焼損を防止しつつ、炎筒焼損防止板により遮断される白炎の光が遮断される炎筒焼損防止板よりも上の部分の全周に形成した透光用孔から、燃焼筒の上端付近に形成される白炎の光及び覗き窓からの白炎の光が対流型石油燃焼器の周りを照らすことができ、従来の対流型石油燃焼器と同じように暖房を行いながら、対流型石油燃焼器の周りを照らすことができると共に、透光用孔保護層が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【００２１】
また、請求項５によれば、透光用孔保護層は透明又は半透明又は透光性のある琺瑯からなり、透光用孔を形成した部分の炎筒の外周面又は内周面の片面又は両面に形成したので、透光用孔保護層の琺瑯が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止でき、又、温度が上昇することにより遠赤外線を発生して暖房効果をより高めることができるものである。
【００２２】
また、請求項６によれば、透光用孔保護層は、透光用孔を形成した部分の炎筒の外周面又は内周面の片面又は両面に形成すると共に、透光用孔内は透光用孔保護層で充填され、透光用孔保護層の透光用孔部分は凹状に形成されているので、透光用孔保護層が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できると共に、透光用孔内が透光用孔保護層で充填されることで、透光用孔の防錆性、耐久性、耐酸性、耐磨耗性、保温性、耐熱性を高めることができるものである。
【００２３】
また、請求項７によれば、透光用孔保護層は透明又は半透明又は透光性のある雲母板からなり、透光用孔を形成した部分の炎筒の外周面又は内周面の片面又は両面に形成したので、透光用孔保護層の雲母板が全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【００２４】
また、請求項８によれば、透光用孔保護層は透明又は半透明又は透光性のある耐熱ガラスからなり、透光用孔を形成した部分の炎筒の外周面又は内周面の片面又は両面に形成したので、透光用孔保護層の耐熱ガラスが全ての透光用孔を被うことで、透光用孔から炎筒内に空気が流入したり、逆に炎筒内から燃焼ガスが炎筒外に流出したりすることがなく、対流型石油燃焼器の燃焼に影響を与えるのを防止し、又、燃焼ガスが炎筒外に流出して危険となることを防止できるものである。
【図面の簡単な説明】
【００２５】
【図１】この発明の一実施例を付した対流型石油燃焼器を示す正面図。
【図２】同外炎筒の平断面図。
【図３】同要部断面図。
【図４】同他の実施例を示す要部断面図。
【図５】同他の実施例を示す要部断面図。
【図６】従来の対流型石油燃焼器を示す断面図。
【発明を実施するための形態】
【００２６】
次にこの発明に係る対流型石油燃焼器を図面に示す一実施例で説明する。
尚、従来例と同じものは説明を省略するものとする。
２１は透光用孔で、覗き窓１５及び炎筒焼損防止板１９よりも上方の炎筒９の上部全周に多数形成されているものである。
【００２７】
それにより、従来の対流型石油燃焼器では本体の前後に設けられた覗き窓１５からしか炎筒９内の白炎の光が照らしていなものが、炎筒９の上部全周に多数形成された透光用孔２１から炎筒９内の白炎の光が対流型石油燃焼器の周りを照らすことができ、従来の対流型石油燃焼器と同じように暖房を行いながら、対流型石油燃焼器の周りを照らすことができるものである。
【００２８】
２２は炎筒保護層で、白色等の有色の琺瑯からなり、炎筒９の外周面及び内周面の両面に形成され、炎筒９の美観、防錆性、耐久性、耐酸性、耐磨耗性、保温性、耐熱性を高めると共に、温度が上昇することにより遠赤外線を発生して暖房効果をより高めるものである。
【００２９】
２３は透光用孔保護層で、透明又は半透明又は透光性のある琺瑯からなり、炎筒９に形成された全ての透光用孔２１を被うように炎筒９の外周面及び内周面の両面に形成されると共に、透光用孔２１内に充填されており、又、透光用孔２１部分は凹状に形成されているものである。
【００３０】
それにより、透光用孔保護層２３が全ての透光用孔２１を被うことで、透光用孔２１から炎筒９内に空気が流入したり、逆に炎筒９内から燃焼ガスが炎筒９外に流出したりすることがなく、対流型石油燃焼器の燃焼に影響を与えるのを防止し、又、燃焼ガスが炎筒９外に流出して危険となることを防止できるものである。
【００３１】
又、透光用孔保護層２３が透光用孔２１内に充填されることで透光用孔２１を保護すると共に、透光用孔保護層２３の透光用孔２１部分が凹状に形成されていることで、透光用孔２１部分の透光用孔保護層２３の厚みが薄くなって炎筒９内の白炎の光が透光用孔保護層２３を通過しやすくなり、対流型石油燃焼器の周りをより照らすことができるものである。
【００３２】
尚、本実施例では透光用孔保護層２３は、透明又は半透明又は透光性のある琺瑯で、炎筒９に形成された全ての透光用孔２１を被うように炎筒９の外周面及び内周面の両面に形成されているがこれに限定されず、図４や図５に示すように透明又は半透明又は透光性のある雲母板や耐熱ガラスからなる透光用孔保護層２３を、炎筒９の外周面及び内周面の片面又は両面に設けて、炎筒９に形成された全ての透光用孔２１を被うように設けてもよいものである。
【符号の説明】
【００３３】
２  燃料タンク
５  灯芯
７  燃焼筒
９  炎筒
１０  天板
２１  透光用孔
２３  透光用孔保護層
【図１】
2014190550.tif 000003
【図２】
2014190550.tif 000004
【図３】
2014190550.tif 000005
【図４】
2014190550.tif 000006
【図５】
2014190550.tif 000007
【図６】
2014190550.tif 000008